(57)【要約】【課題】  コストの低いレベルゲージ機能体、を備えたラジエータ用リザーブタンクを提供する。【解決手段】  リザーブタンクのインナーホースは、中空でかつ両端が開放している細長略円筒体であり、該円筒体の表面において、円筒軸方向に一定間隔で、周方向に複数の目盛りが配置されている。これにより、レベルゲージ機能を、インナーホースが併せ持つことができる。【選択図】      図２
2007023782.tif 000002
【特許請求の範囲】
【請求項１】
エンジン用ラジエータ（２０）から溢れ出た冷却水を貯留するリザーブタンク（１０）であって、
前記リザーブタンク（１０）の注水口（１１ａ）を閉塞しかつラジエータホース（２１）との接続部を有するキャップ（１２）に装着され、
中空でかつ両端が開放している細長略円筒体であり、
該円筒体の表面において、円筒軸方向に一定間隔で、周方向に複数の目盛り（１３ｉ、１３ｊ）が配置されているインナーホース（１３）、を備えることを特徴とする、リザーブタンク。
【請求項２】
前記目盛りは、円周溝（１３ｉ）または円周凸部（１３ｊ）であることを特徴とする、請求項１に記載のリザーブタンク。
【請求項３】
前記インナーホース（１３）は、樹脂成形品でありかつ透明または淡色であることを特徴とする、請求項１または２に記載のリザーブタンク。
【請求項４】
冷却水を注水するための注水口（１１ａ）を有し、冷却水を貯留するタンク（１０）と、
前記注水口（１１ａ）を閉塞するキャップ（１２）と、
ラジエータ（２０）から前記タンク（１０）内に冷却水を導くインナーホース（１３）とを有するリザーブタンクであって、
前記インナーホース（１３）に前記タンク（１０）内の液量を示す目盛り（１３ｉ、１３ｊ）が形成されていることを特徴とするリザーブタンク。
【発明の詳細な説明】
【技術分野】
【０００１】
本発明は、水冷式エンジンを有する車両に搭載されるラジエータ用リザーブタンクに関する。
【背景技術】
【０００２】
従来より、水冷式エンジンを有する車両では、ラジエータより溢れ出た冷却水を貯留するリザーブタンクが設置されている。このリザーブタンクは一般に合成樹脂で形成されている。リザーブタンク近辺に、他の部品が配されていると、リザーブタンクの液面の視認性が悪い場合があり、レベルゲージを設ける必要がある。
【０００３】
そのため、従来技術（特許文献１）においては、図４に示すように、レベルゲージ１４が、ラジエータホース２１に接続されたインナーホース１３に沿うように取り付けており、レベルゲージ１４の上部に、Ｕ字状凹部が形成された第１取付部１４ｂが設けられて、その下部には同様の形状の第２取付部１４ｃが設けられていて、インナーホース１３に着脱自在に取り付けられていた。これにより、キャップ１２に接続したインナーホース１３を少し持ち上げて、タンク本体１１からインナーホース１３を少し抜き出すことによりレベルゲージ１４をインナーホース１３から取り外して外部に取り出すことができる。
すなわち、リザーブタンク１０内の冷却水の液面レベルを視認するときは、インナーホース１３に装着されたリザーブタンクのキャップ１２を持ち上げて、レベルゲージ１４をリザーブタンク１０から外に出してレベルゲージ１４に付着した液の視認により液面レベルを確認していた。
なお、第１取付部１４ｂおよび第２取付部１４ｃは、レベルゲージ１４のタンク本体１１内への脱落防止のためのものである。
【０００４】
【特許文献１】特開２００３−２１４１６３号公報
【０００５】
インナーホース３とレベルゲージ４とは、別体であるため、部品点数が２個となり、組立費も発生しコストが高いという課題があった。
【発明の開示】
【発明が解決しようとする課題】
【０００６】
本発明は、上記問題に鑑みてなされたものであり、その目的は、コストの低いレベルゲージ機能体、を備えたラジエータ用リザーブタンクを提供することである。
【課題を解決するための手段】
【０００７】
本発明は、前記課題を解決するための手段として、特許請求の範囲の各請求項に記載のリザーブタンクを提供する。
請求項１に記載の発明によれば、レベルゲージ機能をインナーホースが兼用しており、該インナーホースは略円筒形であるので従来形レベルゲージの第１取付部や第２取付部は無く極めてシンプルな形態となる。このため、製造コストを大幅に低減できる。また、インナーホースにレベルゲージの機能を併せ持たせることにより、レベルゲージの配設を省略できる。このため、レベルゲージ相当のコスト分も削減可能となる。
【０００８】
請求項２に記載の発明によれば、目盛りは、円周溝または円周凸部であるので、水の表面張力により、冷却水が容易に付着する。このため、液面レベルの視認が確実に可能となる。
【０００９】
請求項３に記載の発明によれば、インナーホースは、樹脂成形品でありかつ透明または淡色であるので、視認容易でコストも安価となる。
請求項４に記載の発明によれば、インナーホースに形成された目盛りによってリザーブタンク内の液面を確認することができ、レベルゲージを別部品として設ける必要がなく、製造コストを低減させることができる。
【発明を実施するための最良の形態】
【００１０】
以下、本発明の実施の形態を図面に基づいて説明する。図１は、本発明に係るリザーブタンクの全体構成を示している。図２は、本発明に係るリザーブタンクのインナーホースの第１実施形態であり、図３は、本発明に係るリザーブタンクのインナーホースの第２実施形態である。
【００１１】
リザーブタンク１０は、車両用エンジン（図示せず）からの高温の冷却水を冷却するラジエータ２０とラジエータホース２１を介して連結されている。リザーブタンク１０は、タンク本体１１、キャップ１２及びレベルゲージを兼用したインナーホース１３とから構成されている。
【００１２】
タンク本体１１は、ポリプロピレン樹脂製で、ブロー成形により形成されており、エンジンの冷却水を一定量貯留するものである。タンク本体１１の上面中央部には、円筒形状をした注水口１１ａが形成されていて、キャップ１２によりこの注水口１１ａが閉塞されるようになっている。なお、キャップ１２と注水口１１ａとの間には、必要に応じてパッキン１５（図２参照）が設けられている。
【００１３】
図２に示すように、キャップ１２も、タンク本体１１と同様にポリプロピレン樹脂から作られており、ラジエータホース２１に接続される第１接続部１２ａと、注水口１１ａを閉塞する円形状の蓋部１２ｂと、インナーホース１３に接続される第２接続部１２ｃとを含んでいる。したがって、キャップ１２内部には、ラジエータ２０から第１接続部１２ａを通過した冷却水が、第２接続部１２ｃからインナーホース１３を通ってタンク本体１１内に流入可能な通路が形成されている。
【００１４】
レベルゲージ機能を有するインナーホース１３は、キャップ１２の第２接続部１２ｃにおいてキャップ１２に装着されている。装着方法は、溶着、接着、嵌合その他の周知の方法である。該インナーホース１３は、中空でかつ両端が開放している細長略円筒体であり、該円筒体の表面において、円筒軸方向に一定間隔で、周方向に複数の円周溝目盛り１３ｉが配置されている。該目盛りは、図３に示すように、円周凸部目盛り１３ｊであっても良い。いずれの形式の目盛りも、冷却水の表面張力により、形状急変部（目盛り部）に冷却水が容易に付着する。このため、液面レベルの視認が確実になる。
【００１５】
液面レベルを視認する方法について説明する。まず、キャップ１２をリザーブタンク本体１１の注水口１１ａより取り外す。キャップ１２にはインナーホース１３が装着されているので、インナーホース１３もリザーブタンク本体１１より外へ取出される。そして、インナーホース１３の円筒体表面に配置された目盛り１３ｉまたは１３ｊに付着した液を視認することにより、液面レベルを把握することができる。
【００１６】
そして、インナーホース１３は、略円筒形であるので従来形レベルゲージの第１取付部や第２取付部は無く極めてシンプルな形態となる。このため、製造コストも大幅に低減できる。また、インナーホース１３は、中空でかつ両端が開放しているため、従来のインナーホースと同一の機能（液体を通過させる導管機能）を維持している。
【００１７】
以上より、従来形のレベルゲージの配設を省略できる。このため、レベルゲージ相当のコスト分も削減可能となる。もちろん、従来は必要であったインナーホースとレベルゲージの組立費用も削減される。
【００１８】
また、インナーホース１３は、例えばポリプロピレンのようなコスト上有利な樹脂成形品でも良い。さらに、インナーホース１３を、透明または淡色としても良い。付着液の視認を容易にするためである。
【００１９】
以上説明したように、本発明により、コストの低いレベルゲージ機能体、を備えたラジエータ用リザーブタンクを提供することができる。
【図面の簡単な説明】
【００２０】
【図１】本発明に係るリザーブタンクの概観図である。
【図２】本発明に係るリザーブタンクのインナーホースの第１実施形態である。
【図３】本発明に係るリザーブタンクのインナーホースの第２実施形態である。
【図４】従来例のレベルゲージを備えたリザーブタンクの、キャップを少し持ち上げた状態における概観図とＡ−Ａ視図である。
【符号の説明】
【００２１】
１０    リザーブタンク
１１    タンク本体
１１ａ    注水口
１１ｂ    注水口内面
１２    キャップ
１３    インナーホース
１３ｉ    円周溝目盛り
１３ｊ    円周凸部目盛り
１４    レベルゲージ
１４ａ    Ｕ字状凹部
１４ｂ    第１取付部
１４ｃ    第２取付部
１５    パッキン
２１    ラジエータホース
【図１】
2007023782.tif 000003
【図２】
2007023782.tif 000004
【図３】
2007023782.tif 000005
【図４】
2007023782.tif 000006